(57)【要約】【課題】  芳香分子を、その分子構造を維持したまま、長時間に亘って安定した量で拡散させることができる芳香分子の遊離促進装置を提供すること。【解決手段】  熱伝導性が高く、開口部５１０を有する容器５と、容器５内に収納された芳香発散体３０と、容器５を加熱する加熱装置６とを備え、芳香発散体３０は、芳香分子を含む芳香物質３１，３２を、芳香分子３１，３２と親和性がある無臭の熱溶解性蝋質材４に混入して成り、加熱装置６の加熱温度が、蝋質材４の揮発温度よりも低く、且つ、芳香分子が蝋質材４から遊離を開始する温度よりも高く設定されている。【選択図】          図５
0003112337.tif 000002
【実用新案登録請求の範囲】
【請求項１】
熱伝導性が高く、開口部を有する容器と、該容器内に収納された芳香発散体と、前記容器を加熱する加熱装置とを備え、前記芳香発散体は、芳香分子を含む芳香物質を、該芳香物質と親和性がある無臭の熱溶解性蝋質材に混入して成り、前記加熱装置の加熱温度は、前記蝋質材の揮発温度よりも低く、且つ、前記芳香分子が前記蝋質材から遊離を開始する温度よりも高く設定されていることを特徴とする芳香分子の遊離促進装置。
【請求項２】
前記容器の内面を、蝋質材が付着し難い滑面とし、前記加熱装置が、正温度係数セラミック抵抗発熱体を有する恒温加熱装置である請求項１に記載された芳香分子の遊離促進装置。
【請求項３】
前記容器の内面を断面弧状に湾曲した滑面としてある請求項２に記載された芳香分子の遊離促進装置。
【請求項４】
前記恒温加熱装置の出力電力を変更して温度調節を行うための温度調節部を設けた請求項２又は３に記載された芳香分子の遊離促進装置。
【請求項５】
前記芳香物質がハーブの精油である請求項１乃至４のいずれかに記載された芳香分子の遊離促進装置。
【請求項６】
前記容器の上方に精油補給装置を設けた請求項５に記載された芳香分子の遊離促進装置。
【請求項７】
前記芳香物質がハーブである請求項１乃至４のいずれかに記載された芳香分子の遊離促進装置。
【請求項８】
前記ハーブが生の花又は草である請求項７に記載された芳香分子の遊離促進装置。
【請求項９】
前記ハーブが乾燥処理を施した花又は草である請求項７に記載された芳香分子の遊離促進装置。
【請求項１０】
前記容器の内部に、フィルタを介して前記ハーブを取り出し可能に設置してある請求項７乃至９のいずれかに記載された芳香分子の遊離促進装置。
【考案の詳細な説明】
【技術分野】
【０００１】
本考案は、安全な一定温度で、高揮発点の媒介材を介し、間接的に芳香分子を交換誘導し、芳香分子の分子構造を完全に維持しながら遊離させて放出する芳香分子の遊離促進装置に関する。
【背景技術】
【０００２】
従来、室内の香りの調製は、香水をスプレーしたり、ハーブに含まれる香りの成分を燃焼によって引きだし、室内空間に充満させていた。
また、最近では、アロマキャンドルを燃焼させたり、ハーブ等の精油を熱して揮発させる方法が流行しているが、これらは全て、芳香分子を室内に放出させて、室内を好適な香りで満たし、さらには、芳香分子の化学的作用により室内を殺菌したり、人体の交感神経を整えることを目的としている。
【０００３】
図１に示すように、アロマキャンドル１の内部には芳香物質１０が含まれ、芯１１を燃やして炎１２が形成されると、炎１２の温度でアロマキャンドル１が溶け、同時に炎１２で芳香物質１０の芳香成分が酸化されて、室内に拡散される。
しかし、この方法では、芳香成分が炎１２の酸化作用によって破壊されるので、拡散する香りが変質しやすく、化学物質の不快な臭いがすることもあり、また、炎１２の燃焼によって、一酸化炭素や二酸化炭素が発生して室内の空気が汚れたり、湿度が上がる心配もある。
【０００４】
精油を用いた方法では、図２に示すように、支持体２１に載せたポット２の内部に水２２を容れ、水２２の表面に精油膜２０を形成し、支持体２１内部で燃やした火２４によって水２２を煮沸し、その熱エネルギーで精油膜２０に含まれる芳香成分を外部へ拡散させる。
この方法では、精油膜２０の周縁部２３０がポット２の熱によってその内面２３に付着してしまう。また、水２２が蒸発して液面が下降し、ポット２の内面２３の温度が非常に高くなるため、精油膜２０が高温で反応を起こし、香りが変化したり、焦げ付くことがある。
さらに、水２２の表面に形成された薄い精油膜２０を急速に揮発させるので、短時間しか香りが持続せず、精油を追加すると、水２２が蒸発しきっていて空焼きを起こすことが往々にしてあり、焦げ臭い臭いが発生する。
【考案の開示】
【考案が解決しようとする課題】
【０００５】
本考案が解決しようとする課題は、芳香分子を、その分子構造を維持したまま、長時間に亘って安定した量で拡散させることができる芳香分子の遊離促進装置を提供することにある。
【課題を解決するための手段】
【０００６】
本考案の芳香分子の遊離促進装置は、熱伝導性が高く、開口部を有する容器と、該容器内に収納された芳香発散体と、前記容器を加熱する加熱装置とを備え、前記芳香発散体は、芳香分子を含む芳香物質を、該芳香物質と親和性がある無臭の熱溶解性蝋質材に混入して成り、前記加熱装置の加熱温度は、前記蝋質材の揮発温度よりも低く、且つ、前記芳香分子が前記蝋質材から遊離を開始する温度よりも高く設定されている。
【０００７】
前記容器の内面を、蝋質材が付着し難い滑面とし、前記加熱装置を、正温度係数セラミック抵抗発熱体を有する恒温加熱装置とすることがある。
この場合、前記容器の内面を断面弧状に湾曲した滑面にすると良い。
また、前記恒温加熱装置の出力電力を変更して温度調節を行うための温度調節部を設けても良い。
前記芳香物質として、ハーブの精油を用いることができる。
この時、容器の上方に精油補給装置を設けると良い。
前記芳香物質として、ハーブを用いることもできる。
ハーブは生の花又は草でも良いし、乾燥処理を施した花又は草でも良い。
容器の内部に、フィルタを介してハーブを取り出し可能に設置することもある。
【考案の効果】
【０００８】
本考案によれば、加熱装置の加熱温度が蝋質材の揮発温度よりも低い一定範囲内に保たれるので、芳香分子が長時間に亘って一定量拡散され、芳香分子の分子構造が破壊されて香りが変質する心配もなく、温度が上昇しすぎたり、蝋質材が揮発により減少して焦げ付くなどの事故を防止できて安全性が高い。
【考案を実施するための最良の形態】
【０００９】
芳香分子を含む芳香物質を無臭の熱溶解性蝋質材に混入して成る芳香発散体を容器に収納し、この容器を加熱装置で加熱して、芳香発散体に含有された芳香分子を遊離し、外気へ拡散させる。加熱装置の加熱温度は、蝋質材の揮発温度よりも低く、且つ、芳香分子が蝋質材から遊離を開始する温度よりも高く設定されている。
以下、本考案の実施例を図面に基づいて詳細に説明する。
【実施例１】
【００１０】
図３及び図４は、本考案の実施例１を示す。
芳香分子の遊離促進装置は、図３に示すように、熱伝導性が高く、上面に開口部を有する容器５と、容器５内に収納された芳香発散体３０と、容器５を加熱する図示しない加熱装置とを備える。
芳香発散体３０は、芳香分子を含む芳香物質を、芳香物質と親和性のある無臭の熱溶解性蝋質材４に混入して成る。
蝋質材４は、約６０℃程度の温度で溶解するので、容器５内に容れた蝋質材４が加熱装置から受けた熱波５０で溶解したら、芳香物質を投入すれば良い。芳香物質としては、花や草より成るハーブ３１、ハーブの精油３２、或いは木質の植物を用いる。
【００１１】
蝋質材４の揮発温度は約１３０℃であり、加熱装置の加熱温度は、これより低い８０℃〜１００℃に設定されている。
従って、加熱装置で加熱されても、蝋質材４は液状になるだけであって、構造が変化することはないが、蝋質材４の熱によって芳香物質の芳香分子が放出され、液状の蝋質材４にとけ込む。
また、溶解した蝋質材４を加熱すると、温度の不均衡により下から上へ向かう流れが生じ、この流れによって蝋質材４にとけ込んだ芳香分子が上面に運ばれる。そして、芳香分子は、蝋質材４の上面から外気へ順次緩やかに拡散され、一定量の拡散を長時間継続する。
【００１２】
蝋質材４の温度は８０℃〜１００℃であるため、芳香物質から放出された芳香分子の分子構造は変質せず、香りの質は変化しない。なお、香りの質及び強さは、人間の嗅覚による実験では、時間経過によって変わらなかった。
なお、溶解した蝋質材４にハーブ３１、精油３２等の芳香物質を混入して、常温で固化させ、図４に示すような塊状の芳香発散体３０を形成しておけば、包装や保存に便利である。塊状の芳香発散体３０の形状は、動物や立体形状などの任意形状とすることができる。
【実施例２】
【００１３】
図５〜図９は、実施例２を示す。
図５に示すように、芳香発散体３０が収納された容器５を、加熱装置６を設置した支持体６０の上に載置する。
容器５は熱伝導性の良好な素材より成り、その内面５３は、蝋質材４が付着するのを防ぐために、油脂を剥がしやすい滑面としてある。また、容器５の上面には開閉可能な保護蓋５１を設け、保護蓋５１に芳香分子を外部へ拡散させるための開口部５１０を形成してある。
【００１４】
加熱装置６は、正温度係数セラミック抵抗発熱体６３の両面に電極片６１，６２を設け、その外面に絶縁を施して、熱伝導カバー６４で被覆した恒温加熱装置より成る。
電極片６１，６２から正温度係数セラミック抵抗発熱体６３に通電して発熱させると、この熱が熱伝導カバー６４を通して容器５へ伝達され、容器５内の芳香発散体３０を加熱する。
すると、芳香発散体３０の蝋質材４が溶解して、ハーブ３１、精油３２等の芳香物質に含まれる芳香分子が、攪拌されながら蝋質材４の表面から緩やかに拡散する。
【００１５】
支持体６０には、加熱装置６の出力電力を変更して温度調節を行うための温度調節部６５が設けられる。温度調節部６５を操作することにより、芳香発散体３０に含有される芳香物質の種類に応じて、加熱装置６の加熱温度を変えることができる。
例えば、精油３２はハーブ３１よりも芳香分子を放出しやすいので、芳香物質として精油３２を用いたときは温度を低くし、ハーブ３１を用いたときはこれより高温にする。また、木質の植物は、木材繊維内の芳香分子を放出させなければならないので、ハーブ３１よりも高温に加熱する。
なお、いずれの場合にも、加熱温度は蝋質材４の揮発温度よりも低く抑えなければならない。
【００１６】
正温度係数セラミック抵抗発熱体６３は、自ら温度制御を行い、一定温度の熱を発生するので、蝋質材４は常に一定温度で加熱され、芳香物質に対する作用も安定した状態が保たれ、この結果、芳香分子の放出量が非常に安定すると共に、加熱温度のバラツキによる反応不良を確実に防ぐことができる。
【実施例３】
【００１７】
図６は、本考案の実施例３を示す。
芳香物質としてハーブ３１を用い、フィルタ５２内にハーブ３１を容れると共に、このフィルタ５２を容器５に掛け渡してハーブ３１を蝋質材４に浸してある。
このようにすると、ハーブ３１から芳香分子が放出されなくなったら、新しいハーブ３１と交換することができる。
取り出した古いハーブ３１は、表面に蝋質材４がコーティングされているので、そのまま装飾品として長期間保存することもでき、燃料として使用することもできる。
その他の構成は、実施例１又は２とほぼ同様である。
【実施例４】
【００１８】
図７は、本考案の実施例４を示す。
芳香物質として精油３２を用い、容器５の上方に精油補給装置７を設置して、芳香発散体３０へ新しい精油３２を補給するようになっている。
精油補給装置７は、雫状の精油３２がしたたり落ちるようにするか、電気的な制御方法によって間欠的に一定量の精油３２を落下させる。
補給された精油３２は、ほぼ一定量に維持される溶解した蝋質材４に混入し、芳香分子が熱により外気に拡散する。
このように精油補給装置７を設置したものは、長期間に亘って芳香の発生を持続する必要があるトイレや浴室で使用するのに便利である。
その他の構成は、実施例１又は２とほぼ同様である。
【００１９】
なお、実施例１乃至実施例４において、図８に示すように、容器５の上面を開口部とし、上端に近付くに従って面積が拡大する錐形に形成すると、固化した芳香発散体３０を容器５から取り出しやすい。
また、図９に示すように、容器５の上面を開口部とし、容器５の内面を断面弧状に湾曲した滑面にすると、芳香発散体３０が固化した後、その表面の縁部へ押圧力Ｆを加えるだけで、芳香発散体３０を水平面に対して角度θとなるよう傾斜させて、他端側を容器５の上方へ押し出し、簡単に取り出すことができる。
なお、容器５の内面を滑面とするには、釉薬を塗布するか、テフロン（登録商標）加工を施せばよい。
【図面の簡単な説明】
【００２０】
【図１】従来のアロマキャンドルの側面図。
【図２】従来の芳香発生装置の断面図。
【図３】実施例１を示す芳香分子の遊離促進装置の断面図。
【図４】芳香発散体の斜視図。
【図５】実施例２を示す芳香分子の遊離促進装置の断面図。
【図６】実施例３を示す芳香分子の遊離促進装置の断面図。
【図７】実施例４を示す芳香分子の遊離促進装置の断面図。
【図８】容器の一態様を示す断面図。
【図９】容器の他の態様を示す断面図。
【符号の説明】
【００２１】
１  アロマキャンドル
１０  芳香物質
１１  芯
１２  炎
２  ポット
２０  精油膜
２１  支持体
２２  水
２３  内面
２３０  周縁部
２４  火
３０  芳香発散体
３１  ハーブ
３２  精油
４  蝋質材
５  容器
５１  保護蓋
５１０  開口部
５２  フィルタ
５３  内面
６  加熱装置
６０  支持体
６１，６２  電極片
６３  正温度係数セラミック発熱体
６４  熱伝導カバー
６５  温度調節部
７  精油補給装置
【図１】
0003112337.tif 000003
【図２】
0003112337.tif 000004
【図３】
0003112337.tif 000005
【図４】
0003112337.tif 000006
【図５】
0003112337.tif 000007
【図６】
0003112337.tif 000008
【図７】
0003112337.tif 000009
【図８】
0003112337.tif 000010
【図９】
0003112337.tif 000011